(57)【要約】【課題】画質が悪いと定義されたチャンネルの番組の記録については高画質側の記録モードを推奨でき、画質が良いと定義されたチャンネルの番組の記録については低画質側の記録モードを推奨できる情報記録再生装置を提供する。【解決手段】記録時にチャンネルのＲＦ信号を入力し、ＡＦＴ信号を用いて当該チャンネルのセンター周波数付近を探してセンター周波数信号の有無を確認し、信号が有ることが確認されると、記録モードを低画質モードに推奨し、無いことが確認されると、ＡＦＴ信号を用いて局部発振信号の周波数を所定周波数ずらし、該所定周波数ずれたセンター周波数信号の有無を確認する。センター周波数信号が有ることが確認されると、記録モードを中画質モードに推奨し、無いことが確認されると、更に所定周波数ずらしセンター周波数信号の有無を確認し、有ることが確認されると、記録モードを高画質モードに推奨する。【選択図】図４
2007214827.tif 000002
【特許請求の範囲】
【請求項１】
テレビ放送電波を受信して選局したテレビ放送局のチャンネルの高周波信号を取り出して中間周波信号に変換するチューナと、このチューナからの中間周波信号を増幅する映像中間周波増幅回路と、この映像中間周波増幅回路からの中間周波信号から映像信号を取り出す映像検波回路と、この映像検波回路からの映像信号を入力して記録媒体に記録させると共に該記録媒体に記録された映像信号を再生する記録再生部とを備えた情報記録再生装置において、
前記チューナの選局動作時にＡＦＴ信号を用いて局部発振周波数を変化させ当該チャンネルの高周波信号のセンター周波数付近を探してセンター周波数信号の有無を確認する第１のセンター周波数信号有無確認手段と、
この第１のセンター周波数信号有無確認手段によりセンター周波数信号が有ることが確認されると、前記記録再生部における記録モードを低画質モードに推奨する低画質モード推奨手段と、
前記第１のセンター周波数信号有無確認手段によりセンター周波数信号が無いことが確認されると、ＡＦＴ信号を用いて局部発振周波数を所定周波数ずらし、該所定周波数ずれたセンター周波数信号の有無を確認する第２のセンター周波数信号確認手段と、
この第２のセンター周波数信号有無確認手段によりセンター周波数信号が有ることが確認されると、前記記録再生部における記録モードを中画質モードに推奨する中画質モード推奨手段と、
前記第２のセンター周波数信号有無確認手段によりセンター周波数信号が無いことが確認されると、ＡＦＴ信号を用いて局部発振周波数を更に所定周波数ずらし、該所定周波数ずれたセンター周波数信号の有無を確認する第３のセンター周波数信号確認手段と、
この第３のセンター周波数信号有無確認手段によりセンター周波数信号が有ることが確認されると、前記記録再生部における記録モードを高画質モードに推奨する高画質モード推奨手段と、を有するシステムコントローラを備えたことを特徴とする情報記録再生装置。
【請求項２】
テレビ放送電波を受信して選局したテレビ放送局のチャンネルの高周波信号を取り出して中間周波信号に変換するチューナと、このチューナからの中間周波信号を増幅する映像中間周波増幅回路と、この映像中間周波増幅回路からの中間周波信号から映像信号を取り出す映像検波回路と、この映像検波回路からの映像信号を入力して記録媒体に記録させると共に該記録媒体に記録された映像信号を再生する記録再生部とを備えた情報記録再生装置において、
前記チューナの選局動作時にＡＦＴ信号を用いて局部発振周波数を変化させ当該チャンネルの高周波信号のセンター周波数付近を探してセンター周波数信号の有無を確認するセンター周波数信号有無確認手段と、
このセンター周波数信号有無確認手段によりセンター周波数信号が有ることが確認されると、前記記録再生部における記録モードをセンター周波数のずれが大きくなるに従って画質が高くなる画質モードに推奨する画質モード推奨手段と、を有するシステムコントローラを備えたことを特徴とする情報記録再生装置。
【請求項３】
前記システムコントローラは、前記チューナの選局動作時にＡＦＴ信号を用いて局部発振周波数を変化させ当該チャンネルの高周波信号のセンター周波数付近を探してセンター周波数信号の有無を確認する第１のセンター周波数信号有無確認手段と、この第１のセンター周波数信号有無確認手段によりセンター周波数信号が有ることが確認されると、前記記録再生部における記録モードを低画質モードに推奨する低画質モード推奨手段と、前記第１のセンター周波数信号有無確認手段によりセンター周波数信号が無いことが確認されると、ＡＦＴ信号を用いて局部発振周波数を所定周波数ずらし、該所定周波数ずれたセンター周波数信号の有無を確認する第２のセンター周波数信号確認手段と、この第２のセンター周波数信号有無確認手段によりセンター周波数信号が有ることが確認されると、前記記録再生部における記録モードを中画質モードに推奨する中画質モード推奨手段と、前記第２のセンター周波数信号有無確認手段によりセンター周波数信号が無いことが確認されると、ＡＦＴ信号を用いて局部発振周波数を更に所定周波数ずらし、該所定周波数ずれたセンター周波数信号の有無を確認する第３のセンター周波数信号確認手段と、この第３のセンター周波数信号有無確認手段によりセンター周波数信号が有ることが確認されると、前記記録再生部における記録モードを高画質モードに推奨する高画質モード推奨手段とを有することを特徴とする請求項２に記載の情報記録再生装置。
【発明の詳細な説明】
【技術分野】
【０００１】
本発明は、テレビチューナを有し、テレビ番組などの情報を記録媒体に記録したり、記録媒体に記録された情報を再生したりする情報記録再生装置に関し、特に、テレビ番組を記録する時に画質に応じて記録モードを決定できる機能を有する情報記録再生装置に関する。
【背景技術】
【０００２】
従来から、ＤＶＤ（デジタル・バーサタイル・ディスク）レコーダやハードディスクレコーダなどの情報記録再生装置では、テレビ番組も記録できるように、テレビ放送電波を受信して選局したテレビ放送局のチャンネルの高周波信号を取り出して中間周波信号に変換するチューナと、このチューナからの中間周波信号を増幅する映像中間周波増幅回路と、この映像中間周波増幅回路からの中間周波信号から映像信号を取り出す映像検波回路とを有する受信部を備え、この受信部からの映像信号を記録再生部に入力し、この記録再生部の記録動作により記録媒体（ＤＶＤやハードディスク）にテレビ番組を記録させている。
【０００３】
そして、従来の情報記録再生装置では、テレビ放送電波の状況には関係なく、ユーザのリモコン操作などにより設定された記録モード（録画モード）で記録される。記録モードとしては、高画質モードから低画質モードへの順に、例えば、ＸＰモード、ＳＰモード、ＬＰモード、ＥＰモード、ＳＬＰモード、ＳＥＰモードがある。また、記録モードが４段階である機種では、ＸＰモード、ＳＰモード、ＬＰモード、ＥＰモードという記録モードがある。
【０００４】
ところで、チューナの選局動作には、チューナの局部発振周波数を微調整するＡＦＴ（オート・ファイン・チューニング）信号を利用して各チャンネルのセンター周波数付近を探してセンター周波数信号の有無を確認し、このセンター周波数信号が有れば、オートプリセットした時に、このセンター周波数がチャンネルの周波数としてメモリに登録される。また、チューナは、ＡＦＴ信号によるチャンネル検出処理においては、本来のセンター周波数（放送局のセンター周波数）から数段階周波数をずらしてチャンネルのセンター周波数信号を探すように構成されている。
【特許文献１】特開２００４−３２８０８６号公報
【特許文献２】特開２００１−３６８６１号公報
【発明の開示】
【発明が解決しようとする課題】
【０００５】
ところが、チューナにおいて抽出したいＲＦ信号のセンター周波数が本来のセンター周波数（放送局からのセンター周波数）から離れているほど画質が悪くなる傾向がある。これは、次のような理由によるものと考えられる。
【０００６】
先ず、放送局から電波送信されたテレビ放送信号であるＲＦ信号のセンター周波数が、受信機側で受信したときに本来のセンター周波数に対してずれるようなことが起きるのは、放送局から電波送信されたＲＦ信号が空中を伝達している間に大気と地上間の容量リアクタンス成分や誘導リアクタンス成分などが作用し、例えば、有線伝送における分布定数回路のような回路が加わるのが原因と思われる。したがって、受信機側で、ずれたセンター周波数のＲＦ信号を受信すると、ＲＦ信号の周波数特性が本来の周波数特性からずれた特性のものとなり、これに伴って中間周波信号（ＩＦ信号）の周波数特性も本来の周波数特性からずれた特性のものとなる。
【０００７】
この中間周波信号の周波数特性は、画質の良否を大きく左右する重要なものであり、この周波数特性が完全でないと（センター周波数が本来のセンター周波数でないと）、色副搬送波が正常なレベルでなくなり、これにより、解像度が低下したりする。このような現象により、センター周波数が本来のセンター周波数から離れているほど、色副搬送波が正常なレベルから遠ざかり、画質が悪くなることになる。
【０００８】
しかし、従来の情報記録再生装置では、前記のような理由で、チューナにおいて抽出したＲＦ信号のセンター周波数が本来のセンター周波数（放送局からのセンター周波数）から離れていて画質が悪くなることが分かっていても、ユーザのリモコン操作などにより設定された記録モード（録画モード）によりテレビ番組が記録されるので、例えば、画質が悪いテレビ番組を低画質の記録モードで記録した場合には、再生画像が更に悪くなり、一方、画質が良いテレビ番組を高画質の記録モードで記録した場合には、再生画像は低画質の記録モードで記録した場合の再生画像と比べても、あまり差がないので、記録媒体の記録領域を無駄に使用することになる等の課題が生じる。
【０００９】
なお、特許文献１の従来技術では、アナログ放送波の電波強度を検出するために、チューナの中間周波をＡＧＣレベルおよび／またはビデオ信号に含まれるノイズを検出し、制御手段は、オートモード時に検出手段による検出値に基づいて録画装置での録画モードを設定するための信号を出力し、録画装置は、その録画モード設定信号に基づく録画画質レベルで動作するようにしている。これにより、アナログ放送波の電波強度を検出することができ、放送波の電波強度に応じて、画質が良いときは高画質モードで録画し、画質が悪いときは低画質モードで録画することができるようになるが、画質が良いときは、元々画質が良いので、低画質モードで録画しても、再生画像があまり変わらなく、記録領域が無駄に多く使用され、また、画質が悪いときは、低画質モードで録画すれば、再生画像が更に悪くなるという課題が生じる。また、この従来技術は、チューナにおいて抽出したＲＦ信号のセンター周波数が本来のセンター周波数（放送局からのセンター周波数）から離れていくほど画質が悪くなるものに対する記録モードの設定処理に関しては開示されていないので、このような原因によって画質が悪くなるものに対しては対処することができない。
【００１０】
特許文献２の従来技術では、放送されてくる番組を受信する番組受信手段と、この番組受信手段により受信された番組を取得または判定する番組種別取得・判定手段と、前記判定された番組の種別から前記番組の種別とその種別に応じた録画モードとの対応関係を示す対応テーブルに基づいて前記受信された番組の録画モードを決定する録画モード決定・制御手段と、前記番組受信手段により受信された番組を前記決定された録画モードに基づいて記録する録画装置とを備え、ユーザが録画モードを示す表示を見ながら録画モードのレベルの変更を可能にしているが、チューナにおいて抽出したＲＦ信号のセンター周波数が本来のセンター周波数（放送局からのセンター周波数）から離れていくほど画質が悪くなるものに対する記録モードの設定処理に関するものではない。
【００１１】
本発明は、上記のような課題を解決するためになされたもので、画質が悪いと定義されたチャンネルのテレビ番組の記録については高画質側の記録モードを推奨することができ、画質が良いと定義されたチャンネルのテレビ番組の記録については低画質側の記録モードを推奨することができる機能を有する情報記録再生装置を提供することを目的とする。
【課題を解決するための手段】
【００１２】
上記目的を達成するために、請求項１の発明は、テレビ放送電波を受信して選局したテレビ放送局のチャンネルの高周波信号を取り出して中間周波信号に変換するチューナと、このチューナからの中間周波信号を増幅する映像中間周波増幅回路と、この映像中間周波増幅回路からの中間周波信号から映像信号を取り出す映像検波回路と、この映像検波回路からの映像信号を入力して記録媒体に記録させると共に該記録媒体に記録された映像信号を再生する記録再生部とを備えた情報記録再生装置において、前記チューナの選局動作時にＡＦＴ信号を用いて局部発振周波数を変化させ当該チャンネルの高周波信号のセンター周波数付近を探してセンター周波数信号の有無を確認する第１のセンター周波数信号有無確認手段と、この第１のセンター周波数信号有無確認手段によりセンター周波数信号が有ることが確認されると、前記記録再生部における記録モードを低画質モードに推奨する低画質モード推奨手段と、前記第１のセンター周波数信号有無確認手段によりセンター周波数信号が無いことが確認されると、ＡＦＴ信号を用いて局部発振周波数を所定周波数ずらし、該所定周波数ずれたセンター周波数信号の有無を確認する第２のセンター周波数信号確認手段と、この第２のセンター周波数信号有無確認手段によりセンター周波数信号が有ることが確認されると、前記記録再生部における記録モードを中画質モードに推奨する中画質モード推奨手段と、前記第２のセンター周波数信号有無確認手段によりセンター周波数信号が無いことが確認されると、ＡＦＴ信号を用いて局部発振周波数を更に所定周波数ずらし、該所定周波数ずれたセンター周波数信号の有無を確認する第３のセンター周波数信号確認手段と、この第３のセンター周波数信号有無確認手段によりセンター周波数信号が有ることが確認されると、前記記録再生部における記録モードを高画質モードに推奨する高画質モード推奨手段とを有するシステムコントローラを備えたことを特徴とする情報記録再生装置を提供する。
【００１３】
この構成において、第１のセンター周波数信号有無確認手段は、記録時にチューナが選局したチャンネルの高周波信号を入力し、ＡＦＴ信号を用いて局部発振周波数を変化させ当該チャンネルのＲＦ信号のセンター周波数付近を探してセンター周波数信号の有無を確認する。本来のセンター周波数信号が有ることが確認されると、低画質モード推奨手段は、記録再生部における記録モードを低画質モードに推奨する。
【００１４】
一方、前記第１のセンター周波数信号有無確認手段によりセンター周波数信号が無いことが確認されると、第２のセンター周波数信号確認手段は、ＡＦＴ信号を用いて局部発振信号の周波数を所定周波数ずらし、該所定周波数ずれたセンター周波数信号の有無を確認する。所定周波数ずれたセンター周波数信号が有ることが確認されると、中画質モード推奨手段は、記録再生部における記録モードを中画質モードに推奨する。
【００１５】
また、前記第２のセンター周波数信号有無確認手段によりセンター周波数信号が無いことが確認されると、第３のセンター周波数信号確認手段は、ＡＦＴ信号を用いて局部発振信号の周波数を更に所定周波数ずらし、該所定周波数ずれたセンター周波数信号の有無を確認する。所定周波数ずれたセンター周波数信号が有ることが確認されると、高画質モード推奨手段は、記録再生部における記録モードを高画質モードに推奨する。
【００１６】
この構成によれば、チューナにおいて抽出した高周波信号のセンター周波数が本来のセンター周波数（放送局からのセンター周波数）から離れていて画質が悪くなるような場合に、画質が悪いと定義されたチャンネルのテレビ番組の記録については高画質側の記録モードを推奨することができ、画質が良いと定義されたチャンネルのテレビ番組の記録については低画質側の記録モードを推奨することができる。したがって、画質が悪いテレビ番組は高画質モードで記録することができるので、画質の悪さをこれ以上落とすことなく再生でき、また、画質が良いテレビ番組を低画質の記録モードで記録することができるので、画質をあまり落とすことなく再生でき、記録媒体の記録領域を有効に使用することができる。
【００１７】
請求項２の発明は、テレビ放送電波を受信して選局したテレビ放送局のチャンネルの高周波信号を取り出して中間周波信号に変換するチューナと、このチューナからの中間周波信号を増幅する映像中間周波増幅回路と、この映像中間周波増幅回路からの中間周波信号から映像信号を取り出す映像検波回路と、この映像検波回路からの映像信号を入力して記録媒体に記録させると共に該記録媒体に記録された映像信号を再生する記録再生部とを備えた情報記録再生装置において、前記チューナの選局動作時にＡＦＴ信号を用いて局部発振周波数を変化させ当該チャンネルの高周波信号のセンター周波数付近を探してセンター周波数信号の有無を確認するセンター周波数信号有無確認手段と、このセンター周波数信号有無確認手段によりセンター周波数信号が有ることが確認されると、前記記録再生部における記録モードをセンター周波数のずれが大きくなるに従って画質が高くなる画質モードに推奨する画質モード推奨手段とを有するシステムコントローラを備えたことを特徴とする情報記録再生装置を提供する。
【００１８】
この構成において、センター周波数信号有無確認手段は、記録時にチューナが選局したチャンネルの高周波信号を入力し、ＡＦＴ信号を用いて局部発振周波数を変化させ当該チャンネルのＲＦ信号のセンター周波数付近を探してセンター周波数信号の有無を確認する。本来のセンター周波数信号が有ることが確認されると、画質モード推奨手段は、記録再生部における記録モードを、センター周波数のずれが大きくなるに従って画質が高くなる画質モードに推奨する。
【００１９】
この構成によれば、チューナにおいて抽出した高周波信号のセンター周波数が本来のセンター周波数（放送局からのセンター周波数）から離れていて画質が悪くなるような場合に、画質が悪いと定義されたチャンネルのテレビ番組の記録については高画質側の記録モードを推奨することができ、画質が良いと定義されたチャンネルのテレビ番組の記録については低画質側の記録モードを推奨することができる。したがって、画質が悪いテレビ番組は高画質モードで記録することができるので、画質の悪さをこれ以上落とすことなく再生でき、また、画質が良いテレビ番組を低画質の記録モードで記録することができるので、画質をあまり落とすことなく再生でき、記録媒体の記録領域を有効に使用することができる。
【００２０】
請求項３の発明では、請求項２の発明において、前記システムコントローラは、前記チューナの選局動作時にＡＦＴ信号を用いて局部発振周波数を変化させ当該チャンネルの高周波信号のセンター周波数付近を探してセンター周波数信号の有無を確認する第１のセンター周波数信号有無確認手段と、この第１のセンター周波数信号有無確認手段によりセンター周波数信号が有ることが確認されると、前記記録再生部における記録モードを低画質モードに推奨する低画質モード推奨手段と、前記第１のセンター周波数信号有無確認手段によりセンター周波数信号が無いことが確認されると、ＡＦＴ信号を用いて局部発振周波数を所定周波数ずらし、該所定周波数ずれたセンター周波数信号の有無を確認する第２のセンター周波数信号確認手段と、この第２のセンター周波数信号有無確認手段によりセンター周波数信号が有ることが確認されると、前記記録再生部における記録モードを中画質モードに推奨する中画質モード推奨手段と、前記第２のセンター周波数信号有無確認手段によりセンター周波数信号が無いことが確認されると、ＡＦＴ信号を用いて局部発振周波数を更に所定周波数ずらし、該所定周波数ずれたセンター周波数信号の有無を確認する第３のセンター周波数信号確認手段と、この第３のセンター周波数信号有無確認手段によりセンター周波数信号が有ることが確認されると、前記記録再生部における記録モードを高画質モードに推奨する高画質モード推奨手段とを有する。
【００２１】
したがって、前記システムコントローラは、第１のセンター周波数信号有無確認処理、低画質モード推奨処理、第２のセンター周波数信号確認処理、中画質モード推奨処理、第３のセンター周波数信号確認処理、および高画質モード推奨処理を実現でき、これにより、画質が悪いと定義されたチャンネルのテレビ番組の記録については高画質側の記録モードを推奨することができ、画質が良いと定義されたチャンネルのテレビ番組の記録については低画質側の記録モードを推奨することができるようになる。
【発明の効果】
【００２２】
以上のように本発明によれば、チューナの選局動作時にＡＦＴ信号を用いて局部発振周波数を変化させ当該チャンネルの高周波信号のセンター周波数付近を探してセンター周波数信号の有無を確認する第１のセンター周波数信号有無確認手段と、この第１のセンター周波数信号有無確認手段によりセンター周波数信号が有ることが確認されると、記録再生部における記録モードを低画質モードに推奨する低画質モード推奨手段と、前記第１のセンター周波数信号有無確認手段によりセンター周波数信号が無いことが確認されると、ＡＦＴ信号を用いて局部発振周波数を所定周波数ずらし、該所定周波数ずれたセンター周波数信号の有無を確認する第２のセンター周波数信号確認手段と、この第２のセンター周波数信号有無確認手段によりセンター周波数信号が有ることが確認されると、前記記録再生部における記録モードを中画質モードに推奨する中画質モード推奨手段と、前記第２のセンター周波数信号有無確認手段によりセンター周波数信号が無いことが確認されると、ＡＦＴ信号を用いて局部発振周波数を更に所定周波数ずらし、該所定周波数ずれたセンター周波数信号の有無を確認する第３のセンター周波数信号確認手段と、この第３のセンター周波数信号有無確認手段によりセンター周波数信号が有ることが確認されると、前記記録再生部における記録モードを高画質モードに推奨する高画質モード推奨手段とを有するシステムコントローラを備えたので、チューナにおいて抽出した高周波信号のセンター周波数が本来のセンター周波数（放送局からのセンター周波数）から離れていて画質が悪くなるような場合に、画質が悪いと定義されたチャンネルのテレビ番組の記録については高画質側の記録モードを推奨することができ、画質が良いと定義されたチャンネルのテレビ番組の記録については低画質側の記録モードを推奨することができる。したがって、画質が悪いテレビ番組は高画質モードで記録することができるので、画質の悪さをこれ以上落とすことなく再生でき、また、画質が良いテレビ番組を低画質の記録モードで記録することができるので、画質をあまり落とすことなく再生でき、記録媒体の記録領域を有効に使用することができる。
【００２３】
また、本発明によれば、テレビ放送電波を受信して選局したテレビ放送局のチャンネルの高周波信号を取り出して中間周波信号に変換するチューナと、このチューナからの中間周波信号を増幅する映像中間周波増幅回路と、この映像中間周波増幅回路からの中間周波信号から映像信号を取り出す映像検波回路と、この映像検波回路からの映像信号を入力して記録媒体に記録させると共に該記録媒体に記録された映像信号を再生する記録再生部とを備えた情報記録再生装置において、前記チューナの選局動作時にＡＦＴ信号を用いて局部発振周波数を変化させ当該チャンネルの高周波信号のセンター周波数付近を探してセンター周波数信号の有無を確認するセンター周波数信号有無確認手段と、このセンター周波数信号有無確認手段によりセンター周波数信号が有ることが確認されると、前記記録再生部における記録モードをセンター周波数のずれが大きくなるに従って画質が高くなる画質モードに推奨する画質モード推奨手段とを有するシステムコントローラを備えたので、チューナにおいて抽出した高周波信号のセンター周波数が本来のセンター周波数（放送局からのセンター周波数）から離れていて画質が悪くなるような場合に、画質が悪いと定義されたチャンネルのテレビ番組の記録については高画質側の記録モードを推奨することができ、画質が良いと定義されたチャンネルのテレビ番組の記録については低画質側の記録モードを推奨することができる。したがって、画質が悪いテレビ番組は高画質モードで記録することができるので、画質の悪さをこれ以上落とすことなく再生でき、また、画質が良いテレビ番組を低画質の記録モードで記録することができるので、画質をあまり落とすことなく再生でき、記録媒体の記録領域を有効に使用することができる。
【発明を実施するための最良の形態】
【００２４】
以下、添付図面を参照しつつ、本発明の実施の形態について説明する。図１は本発明の一実施形態に係る情報記録再生装置の構成を示すブロック図である。
【００２５】
この情報記録再生装置は、アンテナ１で受信したテレビ放送電波を所定処理して映像信号を出力する受信部７と、この受信部７から出力された映像信号を入力して記録媒体９に記録させると共に記録媒体９に記録された映像信号を再生する記録再生部８と、装置全体を制御するシステムコントローラ１０と、ユーザにより操作され操作指令信号をシステムコントローラ１０に入力するリモコンなどの操作部１１と、装置の処理に必要なデータなどを記憶するメモリ１２とを備えている。
【００２６】
受信部７は、アンテナ１を介してテレビ放送電波を受信して選局したテレビ放送局のチャンネルのＲＦ信号を取り出してＩＦ信号（中間周波信号）に変換するチューナ２と、このチューナ２からのＩＦ信号を増幅する映像中間周波増幅回路３と、この映像中間周波増幅回路３からのＩＦ信号から映像信号を取り出す映像検波回路４と、チューナ２の局部発振周波数を微調整するＡＦＴ（オート・ファイン・チューニング）信号を生成するＡＦＴ回路５と、チューナ２の高周波増幅回路のゲインを所定値に保つように制御するためのＲＦ・ＡＧＣ（オート・ゲイン・コントロール）電圧を出力すると共に映像中間周波増幅回路３のゲインを所定値に保つように制御するためのＩＦ・ＡＧＣ電圧を出力するＡＧＣ回路６とを備えている。なお、ここでは、音声系の回路は図示を省略している。
【００２７】
図２は図１で示すチューナとＡＦＴ回路の回路構成を説明するためのブロック図である。
【００２８】
図２において、チューナ２は、アンテナ１を介して受信したＲＦ信号の中から選局するための選局同調電圧に応じて選局されたチャンネルのＲＦ信号を抽出する同調回路２０と、この同調回路２０からのＲＦ信号を増幅する高周波増幅回路２１と、局部発振信号を生成する局部発振回路２４と、高周波増幅回路２１からのＲＦ信号と局部発振回路２４からの局部発振信号とを混合してＩＦ信号を生成する混合回路２２と、局部発振回路２４の局部発振信号の周波数を可変させる可変容量ダイオード２３とを備えている。
【００２９】
同調回路２０に供給される選局同調電圧は、操作部１１のチャンネル選択操作に応答して動作するシステムコントローラ１０から出力されるものである。また、可変容量ダイオード２３に供給される同調電圧は、同調回路２０で抽出されたチャンネルのＲＦ信号を58.75ＭＨｚの中間周波信号に変換できるように局部発振回路２４の局部発振周波数を設定するためのもので、操作部１１の前記チャンネル選択操作に応答してシステムコントローラ１０から出力されるものである。
【００３０】
ＡＦＴ回路５は、映像中間周波増幅回路３からのＩＦ信号を入力して映像搬送波信号を抜き出し増幅する映像搬送波増幅回路５１と、この映像搬送波増幅回路５１からの映像搬送波信号の振幅レベルを一定にするリミッタ５２と、このリミッタ５２からの映像搬送波信号の周波数変化を直流電圧の変化として取り出すＦＭ検波回路５３と、このＦＭ検波回路５３からの直流電圧変化信号を直流増幅する直流増幅回路５４と、この直流増幅回路５４からの直流電圧変化信号の不要成分を取り除くローパスフィルタ５５とを備え、ローパスフィルタ５５から出力される直流電圧をＡＦＴ信号としてチューナ２の可変容量ダイオード２３に供給する。
【００３１】
したがって、チューナ２では、局部発振回路２４の局部発振周波数が低い方にずれると、基準電圧よりも高い電圧のＡＦＴ信号が可変容量ダイオード２３に加わり、これにより可変容量ダイオード２３の容量が小さくなり、この結果、局部発振回路２４の局部発振周波数は高い方に補正され、本来の局部発振周波数に戻される。
【００３２】
図３は本実施形態においてチャンネルのＲＦ信号のセンター周波数がずれた場合のイメージを説明するための図である。図３において、Ｌを本来のセンター周波数の位置とし、センター周波数が例えば193.25ＭＨｚに規定されているチャンネルのセンター周波数信号を抽出する場合に、先ず、図２のチューナ２における局部発振回路２４の局部発振周波数を変化させ、混合回路２２から出力されるＩＦ信号の周波数が58.75ＭＨｚになるように、局部発振周波数が252.00ＭＨｚに設定されるが、ところがセンター周波数の位置がＬからずれて＋Ａ，＋Ｂ，−Ａ，−Ｂの位置にあると、ＡＦＴ回路５からのＡＦＴ信号により、チューナ２の可変容量ダイオード２３の容量を変化させて、局部発振回路２４の局部発振周波数を変化させ、センター周波数が＋Ａ，＋Ｂ，−Ａ，−Ｂの位置にあっても混合回路２２から出力されるＩＦ信号の周波数が58.75ＭＨｚになるように調整される。
【００３３】
即ち、センター周波数が例えば193.25ＭＨｚに規定されているチャンネルのＲＦ信号を受信するのに、先ず、193.25ＭＨｚの信号を確認して、信号が無かった場合、本来のセンター周波数の位置Ｌから＋−方向にＡＦＴ信号を振って、ずれたセンター周波数を探す。選択したチャンネルのＲＦ信号のセンター周波数が本来の位置Ｌから離れるほど画質が悪いと判断する。図３の例の場合、センター周波数が位置＋Ａにある場合よりも、位置＋Ｂにある場合の方が、画質が悪くなり、また、センター周波数が位置−Ａにある場合よりも、位置−Ｂにある場合の方が、画質が悪くなる。
【００３４】
チューナ２において抽出したいＲＦ信号のセンター周波数が本来のセンター周波数（放送局からのセンター周波数）から離れているほど画質が悪くなる理由についてもう一度説明する。
【００３５】
先ず、放送局から電波送信されたテレビ放送信号であるＲＦ信号のセンター周波数が、受信機側で受信したときに本来のセンター周波数に対してずれるようなことが起きるのは、放送局から電波送信されたＲＦ信号が空中を伝達している間に大気と地上間の容量リアクタンス成分や誘導リアクタンス成分などが作用し、例えば、有線伝送における分布定数回路のような回路が加わるのが原因と思われる。したがって、受信機側でずれたセンター周波数のＲＦ信号を受信すると、ＲＦ信号の周波数特性が本来の周波数特性からずれた特性のものとなり、これに伴って中間周波信号の周波数特性も本来の周波数特性からずれた特性のものとなる。
【００３６】
この中間周波信号の周波数特性は、画質の良否を大きく左右する重要なものであり、この周波数特性が完全でないと（センター周波数が本来のセンター周波数でないと）、色副搬送波が正常なレベルでなくなり、これにより、解像度が低下したりする。このような現象により、センター周波数が本来のセンター周波数から離れているほど、色副搬送波が正常なレベルから遠ざかり、画質が悪くなることになる。
【００３７】
図４は本実施形態において記録再生部での記録時の画質モードを自動設定する処理を説明するためのフローチャートである。このフローチャートおよび図１〜図３を参照して記録再生部での記録時の画質モードを自動設定する処理について説明する。
【００３８】
先ず、センター周波数が本来のセンター周波数からずれるに従って高画質で記録（録画）することを推奨する動作を行わせるための画質モード自動設定の操作が操作部１１から与えられると（ステップＳ１）、システムコントローラ１０は、記録再生部８の記録動作時に画質モード自動設定を行わせるように制御する。システムコントローラ１０の第１のセンター周波数信号有無確認手段は、記録時にチューナ２が選局したチャンネルのＲＦ信号を入力し（ステップＳ２）、ＡＦＴ信号を用いて局部発振周波数を変化させ当該チャンネルのＲＦ信号のセンター周波数付近を探してセンター周波数信号の有無を確認する（ステップＳ３）。
【００３９】
即ち、センター周波数が本来のセンター周波数になっていれば、チューナ２の混合回路２２は、高周波増幅回路２１からのＲＦ信号と局部発振回路２４からの局部発振信号との混合により、規定レベルのＩＦ信号を出力するが、センター周波数が本来のセンター周波数からずれていると、ＩＦ信号のレベルが低くなる。したがって、前記第１のセンター周波数信号有無確認手段は、混合回路２２から出力されたＩＦ信号が規定レベルであることを検出すれば、現在選局動作しているチューナ２が本来のセンター周波数に同調されていることになり、現調整時で本来のセンター周波数信号が有ることを確認することができる。
【００４０】
本来のセンター周波数信号が有ることが確認されると、システムコントローラ１０の低画質モード推奨手段は、記録再生部８における記録モードを低画質モード（例えば、ＥＰモード）に推奨する（ステップＳ４）。また、第１のセンター周波数信号有無確認手段によりセンター周波数信号が有ることが確認されると、システムコントローラ１０の第１のチャンネル登録手段は、当該センター周波数信号の周波数をオートプリセット時のチャンネルの周波数としてメモリ１２に登録する。即ち、オートプリセット時のチャンネル番号に対応させてセンター周波数をメモリ１２に登録し、選局操作時に、そのチャンネル番号が選択されたときに、そのセンター周波数に対応する選局同調電圧がシステムコントローラ１０から同調回路２０に加えられることにより、そのチャンネル番号の放送局が選局されることになる。
【００４１】
一方、前記第１のセンター周波数信号有無確認手段によりセンター周波数信号が無いことが確認されると（ステップＳ３）、システムコントローラ１０の第２のセンター周波数信号確認手段は、ＡＦＴ信号を用いて局部発振信号の周波数を所定周波数（例えば、＋1.31ＭＨｚ）ずらし（ステップＳ５）、該所定周波数ずれたセンター周波数信号の有無を確認する（ステップＳ６）。
【００４２】
所定周波数ずれたセンター周波数信号が有ることが確認されると（ステップＳ６）、システムコントローラ１０の中画質モード推奨手段は、記録再生部８における記録モードを中画質モード（例えば、ＳＰモード、ＬＰモード）に推奨する（ステップＳ７）。また、第２のセンター周波数信号有無確認手段によりセンター周波数信号が有ることが確認されると、システムコントローラ１０の第２のチャンネル登録手段は、当該センター周波数信号の周波数をオートプリセット時のチャンネルの周波数としてメモリ１２に登録する。
【００４３】
また、前記第２のセンター周波数信号有無確認手段によりセンター周波数信号が無いことが確認されると（ステップＳ６）、同じく第２のセンター周波数信号確認手段は、ＡＦＴ信号を用いて局部発振信号の周波数を所定周波数（例えば、−1.31ＭＨｚ）ずらし（ステップＳ８）、該所定周波数ずれたセンター周波数信号の有無を確認する（ステップＳ９）。
【００４４】
所定周波数ずれたセンター周波数信号があることが確認されると（ステップＳ９）、システムコントローラ１０の中画質モード推奨手段は、記録再生部８における記録モードを中画質モード（例えば、ＳＰモード、ＬＰモード）に推奨する（ステップＳ７）。また、第２のセンター周波数信号有無確認手段によりセンター周波数信号が有ることが確認されると、システムコントローラ１０の第２のチャンネル登録手段は、当該センター周波数信号の周波数をオートプリセット時のチャンネルの周波数としてメモリ１２に登録する。
【００４５】
また、前記第２のセンター周波数信号有無確認手段によりセンター周波数信号が無いことが確認されると（ステップＳ９）、システムコントローラ１０の第３のセンター周波数信号確認手段は、ＡＦＴ信号を用いて局部発振信号の周波数を所定周波数（例えば、＋2.01ＭＨｚ）ずらし（ステップＳ１０）、該所定周波数ずれたセンター周波数信号の有無を確認する（ステップＳ１１）。
【００４６】
所定周波数ずれたセンター周波数信号があることが確認されると（ステップＳ１１）、システムコントローラ１０の高画質モード推奨手段は、記録再生部８における記録モードを高画質モード（例えば、ＸＰモード）に推奨する（ステップＳ１２）。また、第３のセンター周波数信号有無確認手段によりセンター周波数信号が有ることが確認されると、システムコントローラ１０の第３のチャンネル登録手段は、当該センター周波数信号の周波数をオートプリセット時のチャンネルの周波数としてメモリ１２に登録する。
【００４７】
また、前記第３のセンター周波数信号有無確認手段によりセンター周波数信号が無いことが確認されると（ステップＳ１１）、同じく第３のセンター周波数信号確認手段は、ＡＦＴ信号を用いて局部発振信号の周波数を所定周波数（例えば、−2.01ＭＨｚ）ずらし（ステップＳ１３）、該所定周波数ずれたセンター周波数信号の有無を確認する（ステップＳ１４）。
【００４８】
所定周波数ずれたセンター周波数信号があることが確認されると（ステップＳ１４）、システムコントローラ１０の高画質モード推奨手段は、記録再生部８における記録モードを高画質モード（例えば、ＸＰモード）に推奨する（ステップＳ１２）。また、第３のセンター周波数信号有無確認手段によりセンター周波数信号が有ることが確認されると、システムコントローラ１０の第３のチャンネル登録手段は、当該センター周波数信号の周波数をオートプリセット時のチャンネルの周波数としてメモリ１２に登録する。
【００４９】
以上説明したように本実施形態によれば、チューナにおいて抽出した高周波信号のセンター周波数が本来のセンター周波数（放送局からのセンター周波数）から離れていて画質が悪くなるような場合に、画質が悪いと定義されたチャンネルのテレビ番組の記録については高画質側の記録モードを推奨することができ、画質が良いと定義されたチャンネルのテレビ番組の記録については低画質側の記録モードを推奨することができる。したがって、画質が悪いテレビ番組は高画質モードで記録することができるので、画質の悪さをこれ以上落とすことなく再生でき、また、画質が良いテレビ番組を低画質の記録モードで記録することができるので、画質をあまり落とすことなく再生でき、記録媒体の記録領域を有効に使用することができる。
【産業上の利用可能性】
【００５０】
本発明は、ＤＶＤレコーダやハードディスクレコーダなどの情報記録再生装置において、チューナで受信したテレビ番組の画質状態に応じて記録モードを切り換えることができる処理に用いることができる。
【図面の簡単な説明】
【００５１】
【図１】本発明の一実施形態に係る情報記録再生装置の構成を示すブロック図である。
【図２】図１で示すチューナとＡＦＴ回路の回路構成を説明するためのブロック図である。
【図３】前記実施形態においてチャンネルのＲＦ信号のセンター周波数がずれた場合のイメージを説明するための図である。
【図４】前記実施形態において記録再生部での記録時の画質モードを自動設定する処理を説明するためのフローチャートである。
【符号の説明】
【００５２】
２    チューナ
３    映像中間周波増幅回路
４    映像検波回路
５    ＡＦＴ回路
８    記録再生部
９    記録媒体
１０    システムコントローラ（第１のセンター周波数信号有無確認手段、低画質モード推奨手段、第２のセンター周波数信号有無確認手段、中画質モード推奨手段、第３のセンター周波数信号有無確認手段、高画質モード推奨手段）
【図１】
2007214827.tif 000003
【図２】
2007214827.tif 000004
【図３】
2007214827.tif 000005
【図４】
2007214827.tif 000006